(57)【要約】【課題】耐久性及び収納性に優れる吊り下げ具を提供する。【解決手段】吊り下げ具(100)は平板状の縦長の本体(110)と、本体がなす平面と同一面内において本体(110)から外側に延びる複数のアーム(120)と、からなる。本体(110)とアーム(120)は一枚の板でつくられており、各アーム(120)は本体(110)に対してほぼ９０度の角度に捩じられている。アーム(120)の先端には、対象物を係止することが可能な係止部(121)が形成されている。【選択図】図１
0003156310.tif 000002
【実用新案登録請求の範囲】
【請求項１】
一方向に延びる平板状の本体と、
前記本体がなす平面と同一面内において前記本体から外側に延びる少なくとも一つのアームと、
からなり、
前記アームの先端には、対象物を係止することが可能な係止部が形成されている吊り下げ具。
【請求項２】
前記本体と前記アームは一枚の板から成形されており、
前記アームは、前記アームが前記本体と連結している基端と、先端との間において、前記平面に対して捩じられていることを特徴とする請求項１に記載の吊り下げ具。
【請求項３】
前記アームを複数個備えており、前記本体は、前記アームが前記一方向において相互に干渉しないように、前記一方向の回りに捩じられていることを特徴とする請求項１または２に記載の吊り下げ具。
【請求項４】
前記平面と直交する方向に前記本体から外側に延びる少なくとも一つの第二のアームを備え、
前記第二のアームの先端には、対象物を係止することが可能な係止部が形成されていることを特徴とする請求項１乃至３の何れか一項に記載の吊り下げ具。
【請求項５】
前記アームの先端には、前記一方向と直交する方向に吹く風の風圧を受けることができる形状を有する風圧吸収手段が設けられていることを特徴とする請求項１乃至４の何れか一項に記載の吊り下げ具。
【考案の詳細な説明】
【技術分野】
【０００１】
本考案は、例えば、食料品（青果や魚類など）を吊り下げて干し物を製造するために使用する吊り下げ具に関する。
【背景技術】
【０００２】
食料品を吊り下げて干し物を製造するための吊り下げ具の一例として、特開平６−１３３７１９号公報に記載されたものがある。
【０００３】
図４は同公報に記載された吊り下げ具の斜視図である。
【０００４】
図４に示す従来の吊り下げ具５００は縦長の一枚の金属板５０１（例えば、ステンレス板）からなる。金属板５０１には、型で打ち抜くことにより、等間隔に開口部５０２が形成されており、開口部５０２に対応する金属板５０１の部分を互い違いに折り曲げることにより、フック５０３が形成されている。このフック５０３に食料品（例えば、干物用の魚、干し柿用の柿）を吊るして自然乾燥させる。
【考案の概要】
【考案が解決しようとする課題】
【０００５】
しかしながら、図４に示した従来の吊り下げ具５００には、以下のような問題点があった。
【０００６】
第一の問題点は耐久性である。
【０００７】
フック５０３は開口部５０２に対応する金属板５０１の部分を折り曲げることにより形成されているため、繰り返し強度に対する耐性が小さい。このため、比較的重たい物を吊るしたり、外したりすることを繰り返すと、経年的にフック５０３の基端５０３Ａ（折り曲げられた箇所）が疲労破壊を起こすおそれが大きかった。
【０００８】
第二の問題点は収納スペースである。
【０００９】
図４に示した従来の吊るし具５００においては、フック５０３が外方に向かって延びているため、箱に入れて保管するような場合に、一つの吊り下げ具５００で大きな収納スペースを占めていた。
【００１０】
本考案はこのような従来の吊り下げ具における問題点に鑑みてなされたものであり、大きな耐久性を有し、さらに、収納性に優れる吊り下げ具を提供することを目的とする。
【課題を解決するための手段】
【００１１】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１２】
上記の目的を達成するため、本考案は、一方向に延びる平板状の本体（１１０）と、前記本体（１１０）がなす平面と同一面内において前記本体（１１０）から外側に延びる少なくとも一つのアーム（１２０）と、からなり、前記アーム（１２０）の先端には、対象物を係止することが可能な係止部（１２１）が形成されている吊り下げ具（１００）を提供する。
【００１３】
前記本体（１１０）と前記アーム（１２０）は一枚の板から成形されており、前記アーム（１２０）は、前記アーム（１２０）が前記本体（１１０）と連結している基端（１２０Ａ）と、先端（１２０Ｂ）との間において、前記平面に対して捩じられていることが好ましい。
【００１４】
本考案に係る吊り下げ具（１００）が前記アーム（１２０）を複数個備える場合、前記本体（１１０）は、前記アーム（１２０）が前記一方向において相互に干渉しないように、前記一方向の回りに捩じられていることが好ましい。
【００１５】
本考案に係る吊り下げ具（２００）は、前記平面と直交する方向に前記本体（１１０）から外側に延びる少なくとも一つの第二のアーム（２１０）を備えることが可能である。この第二のアーム（２１０）の先端にも、前記アーム（１２０）と同様に、対象物を係止することが可能な係止部（１２１）が形成されている。
【００１６】
前記アーム（１２０、２１０）の先端には、前記一方向と直交する方向に吹く風の風圧を受けることができる形状を有する風圧吸収手段（３１０）が設けられていることが好ましい。
【考案の効果】
【００１７】
本考案に係る吊り下げ具は薄い一枚の金属板を型抜きし、一体成形することができるため、材料コスト及び製造プロセスのコストを低く抑えることが可能である。
【００１８】
また、本考案に係る吊り下げ具はほぼ平板状の形態をなしているので、収納スペースは小さくて足りる。
【００１９】
また、各アームを捩じることにより、アームが平板状である場合と比較して、各アームの強度を向上させることができる。このため、アームに重量物を吊り下げたとしても、アームが屈曲することはない。
【図面の簡単な説明】
【００２０】
【図１】図１（Ａ）は本考案の第一の実施形態に係る吊り下げ具の平面図、図１（Ｂ）は係止部を図１（Ａ）のＢ方向から見た場合の平面図、図１（Ｃ）は係止部を図１（Ａ）のＣ方向から見た場合の平面図である。
【図２】図２（Ａ）は本考案の第二の実施形態に係る吊り下げ具の部分的な平面図、図２（Ｂ）は図２（Ａ）のＢ方向から見た平面図である。
【図３】図３（Ａ）は本考案の第三の実施形態に係る吊り下げ具におけるアームの部分的な平面図、図３（Ｂ）は図３（Ａ）のＢ方向から見た平面図である。
【図４】従来の吊り下げ具の斜視図である。
【考案を実施するための形態】
【００２１】
（第一の実施形態）
図１（Ａ）は本考案の第一の実施形態に係る吊り下げ具１００の平面図である。
【００２２】
図１（Ａ）に示すように、本実施形態に係る吊り下げ具１００は一枚の金属板（例えば、板厚０．８ｍｍのステンレス板）からなり、一方向に延びる平板状の縦長の本体１１０と、本体１１０から外側に延びる６個のアーム１２０と、を備えている。
【００２３】
本体１１０の両端にはそれぞれフック用の穴１１１Ａ、１１１Ｂが形成されている。このフック用の穴１１１Ａまたは１１１Ｂを介して、吊り下げ具１００を所望の箇所から吊り下げることができる。
【００２４】
吊り下げ具１００は一枚の金属板からつくられているため、各アーム１２０は本体１１０がなす平面と同一面内にある。
【００２５】
６個のアーム１２０は、一対のアーム１２０の各々が本体１１０から左右両方向に延びるように配置されており、３対のアーム１２０は相互に等間隔に配置されている。さらに、各対のアーム１２０の長さは異なっており、図１（Ａ）に示すように、フック用の穴１１１Ｂに近い位置にあるアーム１２０ほど長さが大きくなっている。
【００２６】
各アーム１２０の先端には、対象物を係止することが可能な係止部１２１が形成されている。
【００２７】
図１（Ｂ）は係止部１２１を図１（Ａ）のＢ方向から見た場合の平面図、図１（Ｃ）は係止部１２１を図１（Ａ）のＣ方向から見た場合の平面図である。
【００２８】
図１（Ｂ）及び図１（Ｃ）に示すように、各アーム１２０の先端には切り込み１２２が形成されており、さらに、切り込み１２２の両側の先端部分が同じ方向にほぼ直角に折り曲げられて、係止部１２１としてのフック１２３を形成している。
【００２９】
各アーム１２０は、アーム１２０が本体１１０と連結している基端１２０Ａと、先端１２０Ｂとの間において、本体１１０がなす平面に対してほぼ９０度の角度に捩じられている（捩じられている箇所は破線１２４で囲まれた領域である）。このように、各アーム１２０がその途中で捩じられることにより、全てのアーム１２０のフック１２３は上方を向いている。
【００３０】
以上のような構造を有する本実施形態に係る吊り下げ具１００は以下のようにして使用する。
【００３１】
例えば、フック用の穴１１１Ａを介して吊り下げ具１００を適当な箇所に吊り下げる。
【００３２】
次いで、各アーム１２０に形成されたフック１２３に乾燥させようとする食料品を吊り下げる。
【００３３】
この状態のまま長期間放置しておけば、各フック１２３に吊り下げられた食料品は乾燥し、所望の干し物を得ることができる。
【００３４】
本実施形態に係る吊り下げ具１００によれば、以下の効果を得ることができる。
【００３５】
本実施形態に係る吊り下げ具１００は薄い一枚の金属板（例えば、板厚０．６ｍｍ以下）を型抜きし、一体成形することができるため、材料コスト及び製造プロセスのコストを低く抑えることが可能である。
【００３６】
各アーム１２０を捩じることにより、アーム１２０が平板状である場合と比較して、各アーム１２０の強度を向上させることができる。このため、アーム１２０に重量物を吊り下げたとしても、アーム１２０が屈曲することはない。
【００３７】
また、本実施形態に係る吊り下げ具１００はほぼ平板状の形態をなしているので、収納スペースは小さくて足りる。
【００３８】
本実施形態に係る吊り下げ具１００は上記の構造に限定されるものではなく、種々の改変が可能である。
【００３９】
本実施形態に係る吊り下げ具１００は６個のアーム１２０を有するものとして形成されているが、本実施形態に係る吊り下げ具１００が有するアーム１２０の数は任意である。１以上の任意の数を選択することができる。
【００４０】
また、本実施形態に係る吊り下げ具１００においては、２個のアーム１２０が一対となって直線状に配置されているが、各アーム１２０の配置はこれには限定されない。各アーム１２０は任意の位置に配置することが可能である。例えば、各アーム１２０を左右でずらして段違い状に配置することが可能である。
【００４１】
本実施形態に係る吊り下げ具１００においては、係止部１２１（すなわち、フック１２３）は各アーム１２０の先端を直角に折り曲げた構造として形成されているが、係止部１２１の構造はこれに限定されるものではなく、対象物を吊り下げる構造を有するものである限りにおいて、任意の構造を選択することができる。
【００４２】
また、本実施形態に係る吊り下げ具１００が複数のアーム１２０を有するものとして構成されている場合、本体１１０をその軸方向（長さ方向）の周囲に捩じることも可能である。このように本体１１０を捩じることにより、上方から見下ろした場合、各アーム１２０を相互に干渉しないような位置に配置することが可能になる。これにより、各アーム１２０から長尺物を吊り下げても、これらの長尺物が相互に干渉することを防止することができる。
【００４３】
また、このように本体１１０が捩じられている場合であっても、本体１１０を捩じらない元の状態（図１（Ａ）に示す状態）に捩じり戻すことができるので、収納スペースを大きく取る必要はない。
【００４４】
また、本実施形態に係る吊り下げ具１００においては、係止部１２１は各アーム１２０の先端に本体１１０と一体的に形成されているが、係止部１２１を本体１１０に対して着脱自在であるように構成することも可能である。このように係止部１２１を本体１１０に対して着脱自在に形成することにより、係止部１２１の形状を任意のものに変更することが可能になる。例えば、係止部１２１として洗濯物干し用ピンチを用いることにより、本実施形態に係る吊り下げ具１００を洗濯物干し用に使うこともできる。
【００４５】
（第二の実施形態）
図２（Ａ）は本考案の第二の実施形態に係る吊り下げ具２００の部分的な平面図、図２（Ｂ）は図２（Ａ）のＢ方向から見た平面図である。
【００４６】
本実施形態に係る吊り下げ具２００は、第一の実施形態に係る吊り下げ具１００と比較して、第二アーム２１０を追加的に備えている。第二アーム２１０を追加的に備えている点を除いて、本実施形態に係る吊り下げ具２００は第一の実施形態に係る吊り下げ具１００と同一の構造を有している。このため、第一の実施形態に係る吊り下げ具１００と同一の構成要素に対しては同一の参照符号を用いる。
【００４７】
第二アーム２１０は第一の実施形態におけるアーム１２０と同一の構造を有している。ただし、第二アーム２１０は第一の実施形態におけるアーム１２０と直交する方向に延びるように、本体１１０に対して形成されている。
【００４８】
第二アーム２１０は相互に隣接するアーム１２０の間に形成される。例えば、図１（Ａ）の破線で囲まれた領域２２０に形成される。
【００４９】
本実施形態に係る吊り下げ具２００によれば、第一の実施形態に係る吊り下げ具１００と比較して、アームの数を増やすことができる。第一の実施形態に係る吊り下げ具１００のように、各アーム１２０を二次元的に配置する場合には、アーム１２０を配置できる数には限度があるが、本実施形態のように、アーム１２０、２１０を三次元的に配置することにより、アーム１２０、２１０の数を増やすことが可能である。
【００５０】
（第三の実施形態）
図３（Ａ）は本考案の第三の実施形態に係る吊り下げ具３００におけるアームの部分的な平面図、図３（Ｂ）は図３（Ａ）のＢ方向から見た平面図である。
【００５１】
本実施形態に係る吊り下げ具３００は、第一の実施形態に係る吊り下げ具１００と比較して、風圧吸収手段としての風圧カップ３１０を追加的に備えている。風圧カップ３１０を追加的に備えている点を除いて、本実施形態に係る吊り下げ具３００は第一の実施形態に係る吊り下げ具１００と同一の構造を有している。このため、第一の実施形態に係る吊り下げ具１００と同一の構成要素に対しては同一の参照符号を用いる。
【００５２】
図３（Ａ）及び図３（Ｂ）に示すように、風圧カップ３１０はほぼ半球状のカップからなる。風圧カップ３１０は、本体１１０がなす平面に対して風圧カップ３１０の開口面３１１（図３（Ｂ）参照）が直交するように、各アーム１２０の先端に取り付けられている。このため、風圧カップ３１０は、本体１１０の軸方向（長さ方向）と直交する方向に吹く風の風圧を受ける。
【００５３】
例えば、本実施形態に係る吊り下げ具３００をフック用穴１１１Ａを介して回転可能に吊り下げておくことにより、風圧カップ３１０が風力を吸収すると、吊り下げ具３００が本体１１０の軸方向の回りに回転する。このため、吊り下げ具３００を野外で使用するような場合には、弱風であっても吊り下げ具３００が回転し、ハエその他の害虫が寄り付くことを防止できるとともに、乾燥対象物に風が当たることにより乾燥時間の短縮を図ることができる。
【００５４】
なお、風圧吸収手段は風圧カップ３１０には限定されない。風圧を受けることができる形状であれば、いかなる物でも風圧吸収手段として使用することができる。例えば、風圧カップ３１０の代わりに、単なる平らな板を風圧吸収手段として使用することも可能である。
【符号の説明】
【００５５】
１００  第一の実施形態に係る吊り下げ具
１１０  本体
１２０  アーム
１２１  係止部
１２２  切り込み
１２３  フック
２００  第二の実施形態に係る吊り下げ具
２１０  第二のアーム
３００  第三の実施形態に係る吊り下げ具
３１０  風圧カップ３１０
【図１】
0003156310.tif 000003
【図２】
0003156310.tif 000004
【図３】
0003156310.tif 000005
【図４】
0003156310.tif 000006